(57)【要約】      （修正有）【課題】窓枠とこの窓枠に装着された固定障子及び可動障子を備えた建具において、固定障子に関して付加的な気密処理を施し、これによって片引き窓全体としての気密性が格段に向上せしめる建具を提供する。【解決手段】窓枠における固定障子が装着される外側障子収納枠部及び内側障子収納枠部のいずれか一方における特定の壁（先端壁３８ｃ）と固定障子の上框１６、下框及び戸先框における特定壁（対向壁４２）の間に気密手段である帯状片５８が介在せしめられている。【選択図】図５
2019178547.tif 000002
【特許請求の範囲】
【請求項１】
窓枠と該窓枠に装着された固定障子及び開閉動自在な可動障子とを備え、
該窓枠は上枠部材、下枠部材、片側枠部材及び他側枠部材から構成され、
該上枠部材、該下枠部材、該片側枠部材及び該他側枠部材の各々は、外側障子収納枠部及び内側障子収納枠部を有し、該外側障子収納枠部及び該内側障子収納枠部のいずれか一方の幅方向中央部には、幅方向に間隔をおいて内側に突出する一対の突出壁と該一対の突出壁の先端を接続する平坦な先端壁が形成されており、
該固定障子及び該可動障子の各々は上框、下框、戸先框及び召合框を含み、
該固定障子は該外側障子収納枠部及び該内側障子収納枠部の該一方内に収納され且つ開閉動が阻止されており、該可動障子は該外側障子収納枠部及び該内側障子収納枠部の他方内に開閉動自在に収納されており、
該固定障子の該上框、該下框、該戸先框及び該召合框の各々は、該窓枠の該外側障子収納枠部と該内側障子収納部との該一方における該先端壁に対向して位置する平坦な対向壁を有する、
建具において、
該固定障子における該上框、該下框及び該戸先框の各々の該対向壁と該窓枠の該外側障子収納枠部及び該内側障子収納枠部の該一方における該先端壁との間には気密手段が介在されている、
ことを特徴とする建具。
【請求項２】
該固定障子における該戸先框の該対向壁には、該気密手段を構成する発泡合成樹脂製帯状片又は合成樹脂製帯状片が貼着されている、請求項１記載の建具。
【請求項３】
該固定障子における該下框の該対向壁には、該気密手段を構成するモヘア製帯状片又は発泡合成樹脂製帯状片が貼着されている、請求項１又は２記載の建具。
【請求項４】
該窓枠の該上枠部材における該外側障子収納枠部及び該内側障子収納部の該一方の該一対の突出壁及び該先端壁には、該一対の突出壁を挟む一対の側壁及び該側壁の下端を接続し且つ該先端壁に対向して位置する底壁を有する昇降部材が昇降自在に被嵌されており、該気密手段は該昇降部材の該底壁の下面又は該固定障子の該上框の該対向面に配設されている、請求項１から３までのいずれかに記載の建具。
【請求項５】
該昇降部材の該底壁の下面又は該固定障子の該上框の該対向面には、該気密手段を構成する発泡樹脂製帯状片が貼着されている、請求項４記載の建具。
【発明の詳細な説明】
【技術分野】
【０００１】
本発明は、窓枠とこの窓枠に装着された固定障子及び開閉動自在な可動障子とを備えた建具に関する。
【背景技術】
【０００２】
窓枠とこの窓枠に装着された固定障子及び開閉動自在な可動障子とを備えた建具、特に下記特許文献１に開示されている如く引き違い窓（両引き窓）の一方の障子の開閉動を阻止して引き違い窓から片引き窓に変更された建具においては、固定障子に関しても可動障子に関する気密処理と実質上同一の気密処理を施している。
【先行技術文献】
【特許文献】
【０００３】
【特許文献１】特開２０１７−２５６９４号公報
【発明の概要】
【発明が解決しようとする課題】
【０００４】
而して、可動障子に関しては、その開閉動特性を維持するための気密処理が制限されるが、固定障子に関しては、開閉動特性を考慮する必要がなく、充分な気密処理を施すことができる。そして、本発明者等の経験によれば、固定障子に関して追加的な気密処理を施すと建具全体としての気密性が格段に向上することが判明している。
【０００５】
本発明は上記事実に鑑みてなされたものであり、その主たる技術的課題は、固定障子に関して付加的な気密処理が施され、これによって建具全体としての気密性が格段に向上せしめられた、新規且つ改良された建具を提供することである。
【課題を解決するための手段】
【０００６】
本発明者等は、鋭意研究の結果、窓枠のおける固定障子が装着される外側障子収納枠部及び内側障子収納枠部のいずれか一方における特定の壁と固定障子の上框、下框及び戸先框における特定壁との間に気密手段を介在せしめることによって、上記主たる技術的課題を達成することができることを見出した。
【０００７】
即ち、本発明によれば、上記技術的課題を達成する片引き窓として、
窓枠と該窓枠に装着された固定障子及び開閉動自在な可動障子とを備え、
該窓枠は上枠部材、下枠部材、片側枠部材及び他側枠部材から構成され、
該上枠部材、該下枠部材、該片側枠部材及び該他側枠部材の各々は、外側障子収納枠部及び内側障子収納枠部を有し、該外側障子収納枠部及び該内側障子収納枠部のいずれか一方の幅方向中央部には、幅方向に間隔をおいて内側に突出する一対の突出壁と該一対の突出壁の先端を接続する平坦な先端壁が形成されており、
該固定障子及び該可動障子の各々は上框、下框、戸先框及び召合框を含み、
該固定障子は該外側障子収納枠部及び該内側障子収納枠部の該一方内に収納され且つ開閉動が阻止されており、該可動障子は該外側障子収納枠部及び該内側障子収納枠部の他方内に開閉動自在に収納されており、
該固定障子の該上框、該下框、該戸先框及び該召合框の各々は、該窓枠の該外側障子収納枠部と該内側障子収納部との該一方における該先端壁に対向して位置する平坦な対向壁を有する、
建具において、
該固定障子における該上框、該下框及び該戸先框の各々の該対向壁と該窓枠の該外側障子収納枠部及び該内側障子収納枠部の該一方における該先端壁との間には気密手段が介在されている、
ことを特徴とする建具が提供される。
【０００８】
好ましくは、該固定障子における該戸先框の該対向壁には、該気密手段を構成する発泡合成樹脂製帯状片又は合成樹脂製帯状片が貼着されている。該固定障子における該下框の該対向壁には、該気密手段を構成するモヘア製帯状片又は発泡合成樹脂製帯状片が貼着されているのが好適である。好ましくは、該窓枠の該上枠部材における該外側障子収納枠部及び該内側障子収納部の該一方の該一対の突出壁及び該先端壁には、該一対の突出壁を挟む一対の側壁及び該側壁の下端を接続し且つ該先端壁に対向して位置する底壁を有する昇降部材が昇降自在に被嵌されており、該気密手段は該昇降部材の該底壁の下面又は該固定障子の該上框の該対向面に配設されている。該昇降部材の該底壁の下面又は該固定障子の該上框の該対向面には、該気密手段を構成する発泡樹脂製帯状片が貼着されているのが好適である。
【発明の効果】
【０００９】
本発明の建具においては、固定障子における上框、下框及び戸先框の各々の対向壁と窓枠における先端壁との間に介在せしめられた気密手段によって、固定障子の気密性が格段に向上され、これに起因して建具全体の気密性も格段に向上される。特に、窓枠における上枠部材の一対の突出壁及び先端壁には、一対の突出壁を挟む一対の側壁及び側壁の下端を接続し且つ先端壁に対向して位置する底壁を有する昇降部材が昇降自在に被嵌されており、気密手段は昇降部材の外壁の下面に配設されている場合には、窓枠に対する固定障子のけんどん装着が阻害されることがない。
【図面の簡単な説明】
【００１０】
【図１】本発明に従って構成された建具の正面図。
【図２】図１に示す建具における固定障子の開閉動を阻止する一様式を示す部分斜面図。
【図３】図１に示す建具における固定障子の戸先框と窓枠の片側枠部材との関係を示す部分断面図。
【図４】図１に示す建具における固定障子の下框と窓枠の下枠部材との関係を示す部分断面図。
【図５】図１に示す建具における固定障子の上框と窓枠の上枠部材との関係を示す部分断面図。
【図６】図１に示す建具における上枠部材に装備された昇降部材を下降する一様式を示す部分斜面図。
【発明を実施するための形態】
【００１１】
以下、本発明に従って構成された建具の好適実施形態を図示している添付図面を参照して、更に詳述する。
【００１２】
図１を参照して説明すると、図示の建具は、窓枠２と、この窓枠２に装着された固定障子４及び可動障子６とから構成されている。全体として矩形状である窓枠２は、上枠部材８、下枠部材１０、片側枠部材１２及び他側枠部材１４から構成されている。上枠部材８、下枠部材１０、片側枠部材１２及び他側枠部材１４は、塩化ビニルの如き適宜の合成樹脂を押し出して細長い押出部材を成形し、この押出部材を適宜に切断することによって形成されており、従って上枠部材８、下枠部材１０、片側枠部材１２及び他側枠部材１４の横断面形状は実質上同一である。上枠部材８の両端は片側枠部材１２及び他側枠部材１４の上端に接合され、下枠部材１０の両端は片側枠部材１２及び他側枠部材１４の下端に接合され、かくして窓枠２が形成されている。かような窓枠２は、建造物の躯体における窓空間を規定している所要部位に固定される。
【００１３】
固定障子４は上框１６、下框１８、戸先框２０及び召合框２２（図２を参照されたい）並びにガラス板２４から構成されている。上框１６、下框１８、戸先框２０及び召合框２２も、塩化ビニルの如き適宜の合成樹脂を押し出して細長い押出部材を成形し、この押出部材を適宜に切断することによって形成されており、従って上框１６、下框１８、戸先框２０及び召合框２２の横断面形状は実質上同一である。上框１６の両端は戸先框２０及び召合框２２の上端に接合され、下框１８の両端は戸先框２０及び召合框２２の下端に接合され、かくして矩形状の障子枠体が形成されている。ガラス板２４は障子枠体内に固定されている。可動障子６の構成は固定障子４の構成と実質上同一であり、上框２６、下框２８、戸先框３０及び召合框３２並びにガラス板３３から構成されている。図示の実施形態においては、正面図において固定障子４の面積が可動障子６の面積よりも大きいが、固定障子４の面積と可動障子６の面積とを同一に或いは固定障子４の面積を可動障子６の面積よりも小さく設定することもできる。
【００１４】
図２と共に図３乃至図５を参照して説明を続けると、窓枠２を構成する上枠部材８、下枠部材１０、片側枠部材１２及び他側枠部材１４は、図２に明確に図示する如く、外側障子収納枠部３４と内側障子収納枠部３６とを有する。外側障子収納枠部３４は、幅方向に所定間隔をおいて内側に突出する一対の突出壁３８ａ及び３８ｂとこれらの先端を接続する平坦な先端壁３８ｃを有する。突出壁３８ａ及び３８ｂは、上枠部材８及び下枠部材１０においては実質上鉛直に突出し、片側枠部材１２及び他側枠部材１４においては実質上水平に突出する。先端壁３８ｃは、上枠部材８及び下枠部材１０においては実質上水平に延在し、片側枠部材１２及び他側枠部材１４においては実質上鉛直に延在する。内側障子収納枠部３６にも、同様に、幅方向に所定間隔をいて内側に突出する一対の突出壁４０ａ及び４０ｂとこれらの先端を接続する平坦な先端壁４０ｃを有する。固定障子４は窓枠２の外側障子収納枠部３４にけんどん建て込みされ（即ち、固定障子４の上端部を上枠部材８の外側障子収納枠部３４内にはめ込み、次いで固定障子４の下端部を下枠部材１０の外側障子収納枠部３４内にはめ落として建て込みされ）、可動障子６は内側障子収納枠部３６にけんどん建て込みされる。内側障子収納枠部３６に配設されている上記突出壁４０ａ及び４０ｂ並びに先端壁４０ｃは可動障子６の下框１８に配設されている戸車（図示していない）のレールとして機能する。固定障子４においても下框１８に戸車（図示していない）が離脱することなく残留されている場合には、かかる戸車が外側障子収納枠部３４に配置されている上記突出壁３８ａ及び３８ｂ並びに先端壁３８ｃに組み合わされる。所望ならば、固定障子４を内側障子収納枠部３６内に建て込み、可動障子６を外側所持収納枠部３４内に建て込むこともできる。
【００１５】
図３乃至図５に明確に図示するとおり、固定障子４の上框１６、下框１８、戸先框２０及び召合框２２は、窓枠２の上枠部材８、下枠部材１０、片側枠部材１２及び他側枠部材１４の上記先端壁３８ｃに対向して位置する平坦な対向壁４２を有する。上框１６及び下框１８においては対向壁４２は実質上水平に延在し、戸先框２０及び召合框２２においては対向壁４０は実質上鉛直に延在する。
【００１６】
図２に明確に図示する如く、図示の実施形態においては、固定障子４の戸先框２０を窓枠２の片側枠部材１２に当接せしめた状態において、窓枠４の下枠部材１０における外側障子収納枠部３４の突出壁３０ｂに障子ストッパー４６が締結ねじ４８によって固定される。このストッパー４６の片端は固定障子４の召合框２２に当接せしめられており、これによって固定障子４の開閉動が阻止されている。
【００１７】
而して、上述したとおりの窓枠２、固定障子４及び可動障子６自体の構成は当業者には周知のものであり、それ故にこれらについての詳細な説明は本明細書においては省略する。
【００１８】
本発明に従って構成された建具においては、固定障子４における上框１６、下框１８及び戸先框２０の各々の対向壁４０と窓枠２の上枠部材８、下枠部材１０及び片側枠部材１２における先端壁３０ｃとの間には気密手段が配設されていることが重要である。
【００１９】
図３を参照して説明すると、固定障子４の戸先框２０における対向壁４２には、両面接着テープ或いは接着剤の如き適宜の接着手段（図示していない）を介して帯状片５０が貼着されており、かかる帯状片５０が密封手段を構成している。戸先框２０における対向壁４２に沿って延在する帯状片５０は、発泡塩化ビニルの如き適宜の発泡合成樹脂或いは適宜の合成樹脂から形成されているのが好適である。図３に明確に図示するとおり、帯状片５０は窓枠２の片側枠部材１２における外側障子収納枠部３４の先端壁３８ｃに押圧され、かくして戸先框２０と片側枠部材１２との間が密封される。
【００２０】
図４を参照して説明を続けると、固定障子４の下框１８における対向壁４２には、同様に適宜の接着手段（図示していない）を介して帯状片５２が貼着されており、かかる帯状片５２が密封手段を構成している。下框１８に戸車（図示していない）が残留せしめられている場合には、帯状片５２は戸車の部位を除いて、対向壁４２に沿って延在せしめられている。帯状片５２はモヘア或いは発泡合成樹脂から構成されているのが好ましい。本明細書において使用する語句「モヘア」は、アンゴラヤギ及びアンゴラウサギの毛を意味するものではなく、建材業界で一般に使用されている意味、即ち短毛布状のものを意味し、「フロッキー」とも称させているものを意味する。モヘアの好適例としては、株式会社槌屋から商品名「すき間モヘアシール」として販売されているモヘアを挙げることができる。図４に明確に図示する如く、帯状片５２は窓枠２の下枠部材１０における外側障子収納枠部３４の先端壁３８ｃに押圧され、かくして下框１８と下枠部材１０との間が密封される。帯状片５２は、横方において固定障子４の下框１８が存在する部位のみに亘って延在せしめることができる。
【００２１】
図５を参照して説明すると、窓枠２の上枠部材８における外側障子収納枠部３４における一対の突出壁３８ａ及び３８ｂ並びに先端壁３８ｃには昇降部材５４が昇降自在に被嵌されている。適宜の金属薄板或いは適宜の合成樹脂から形成することができる昇降部材５４は一対の突出壁３８ａ及び３８ｂを挟む一対の側壁５６ａ及び５６ｂ並びに側壁５６ａ及び５６ｂの下端を接続し且つ先端壁３８ｃに対向して位置する底壁５６ｃを有する。かような昇降部材５４はその側壁５６ａ及び５６ｂが突出壁３８ａ及び３８ｂを弾性的に挟持することによって、昇降自在に装着される。昇降部材５４は、横方において固定障子４の上框１６が存在する部位のみに亘って延在せしめることができる。昇降部材５４の底壁５６ｃの下面には適宜の接着手段を介して帯状片５８が貼着されており、かかる帯状片５８が気密手段を構成している。帯状片５８は発砲塩化ビニルの如き適宜の発泡合成樹脂或いは適宜の合成樹脂から形成されているのが好適である。所望ならば、昇降部材５４の底壁５６ｃの下面に帯状片５８を貼着することに代えて、固定障子４の上框１６における対向壁４２に帯状片５８を貼着することもできる。
【００２２】
上記昇降部材５４は、固定障子４を窓枠２の外側障子収納枠部３４にけんどん建て込みする際には、図５に二点鎖線で示す上昇位置に位置せしめられている。従って、固定障子４のけんどん建て込みが昇降部材５４によって阻害されることはない。そして、固定障子４を窓枠２の外側障子収納枠部３４に所要とおりにけんどん建て込みした後に、図６に図示する如く、操作工具６０の先端縁を昇降部材５４の側壁５６ｂの上端に係止し、昇降部材５４に下方へ強制することによって昇降部材５４を下降せしめることができる。昇降部材５４を図５に実線で示す位置まで下降せしめると、帯状片５８が固定障子４の上框１６における先端壁３８ｃに押圧され、かくして上框１６と上枠部材８との間が密封される。
【符号の説明】
【００２３】
２：窓枠
４：固定障子
６：可動障子
８：上枠部材
１０：下枠部材
１２：片側枠部材
１４：他側枠部材
１６：上框
１８：下框
２０：戸先框
２２：召合框
２４：ガラス板
３４：外側障子収容枠部
３６：内側障子収容枠部
３８ａ：突出壁
３８ｂ：突出壁
３８ｃ：先端壁
４２：対向壁
４６：障子ストッパー
５０：帯状片（密封手段）
５２：帯状片（密封手段）
５４：昇降部材
５６ａ：側壁
５６ｂ：側壁
５６ｃ：底壁
５８：帯状片（密封手段）
６０：操作工具
【図１】
2019178547.tif 000003
【図２】
2019178547.tif 000004
【図３】
2019178547.tif 000005
【図４】
2019178547.tif 000006
【図５】
2019178547.tif 000007
【図６】
2019178547.tif 000008